【手続補正書】
【提出日】平成18年2月21日(2006.2.21)
【手続補正１】
【補正対象書類名】明細書
【補正対象項目名】全文
【補正方法】変更
【補正の内容】
【書類名】  明細書
【発明の名称】  パレットにおける端桁または中桁とデッキボードとの連結構造、および該連結構造を備えた金属製パレット
【特許請求の範囲】
【請求項１】  上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、
デッキボードの裏面に全長にわたってのびる少なくとも１つの内部拡大溝が形成され、隣り合うデッキボードの対向側面どうしの隙間が同側面におけるデッキボード裏面側縁部または高さ中間部においてそれ以外の部分よりも幅狭になるような横断面形状を同側面が有し、段部における各デッキボードの内部拡大溝に対応する部分に同溝に嵌めうる垂直な溝嵌入部が形成され、段部における隣り合うデッキボードどうしの隙間に対応する部分に同隙間に嵌めうる垂直な隙間嵌入部が形成されており、端桁の溝嵌入部および隙間嵌入部がそれぞれデッキボードの内部拡大溝および隣り合うデッキボードどうしの隙間に左右方向から嵌め入れられている、パレットにおける端桁とデッキボードとの連結構造。
【請求項２】  上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、
デッキボードの裏面に全長にわたってのびる少なくとも１つの内部拡大溝が形成され、段部における各デッキボードの内部拡大溝に対応する部分に同溝に嵌めうる垂直な溝嵌入部が形成され、端桁の溝嵌入部がデッキボードの内部拡大溝に左右方向から嵌め入れられている、パレットにおける端桁とデッキボードとの連結構造。
【請求項３】  上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、
隣り合うデッキボードの対向側面どうしの隙間が同対向側面におけるデッキボード裏面側縁部または高さ中間部においてそれ以外の部分よりも幅狭になるような横断面形状を同対向側面が有し、前端デッキボードの前側面および後端デッキボードの後側面におけるデッキボード裏面側縁部または高さ中間部がそれ以外の部分よりも前後方向外側に位置するような横断面形状を同側面が有し、段部に全長にわたってのびかつ各デッキボードを嵌めうる切欠部を有する垂直壁部が形成され、垂直壁部の切欠部にデッキボードの端部が左右方向から嵌め入れられている、パレットにおける端桁とデッキボードとの連結構造。
【請求項４】  上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、
デッキボードの裏面に全長にわたってのびる少なくとも１つの内部拡大溝が形成され、隣り合うデッキボードの対向側面どうしの隙間が同側面におけるデッキボード裏面側縁部または高さ中間部においてそれ以外の部分よりも幅狭になるような横断面形状を同側面が有し、中桁の上面または上下面における各デッキボードの内部拡大溝に対応する部分に同溝に嵌めうる垂直な溝嵌入部が形成され、中桁の上面または上下面における全ての隣り合うデッキボードどうしの隙間に対応する部分に同隙間に嵌めうる垂直な隙間嵌入部が形成されており、中桁の溝嵌入部および隙間嵌入部がそれぞれデッキボードの内部拡大溝および隣り合うデッキボードどうしの隙間に左右方向から嵌め入れられている、パレットにおける中桁とデッキボードとの連結構造。
【請求項５】  上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、
デッキボードの裏面に全長にわたってのびる少なくとも１つの内部拡大溝が形成され、中桁の上面または上下面における各デッキボードの内部拡大溝に対応する部分に同溝に嵌めうる垂直な溝嵌入部が形成され、中桁の溝嵌入部がデッキボードの内部拡大溝に左右方向から嵌め入れられている、パレットにおける中桁とデッキボードとの連結構造。
【請求項６】  上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、
隣り合うデッキボードの対向側面どうしの隙間が同対向側面におけるデッキボード裏面側縁部または高さ中間部においてそれ以外の部分よりも幅狭になるような横断面形状を同対向側面が有し、前端デッキボードの前側面および後端デッキボードの後側面におけるデッキボード裏面側縁部または高さ中間部がそれ以外の部分よりも前後方向外側に位置するような横断面形状を同側面が有し、中桁の上面または上下面に全長にわたってのびかつ各デッキボードを嵌めうる切欠部を有する垂直壁部が形成され、垂直壁部の切欠部にデッキボードの長さ中間部が左右方向から嵌め入れられている、パレットにおける中桁とデッキボードとの連結構造。
【請求項７】  上内隅または上下内隅に段部が設けられた左右１対の金属製端桁と、両端桁の段部に所定間隔おきに渡された複数の前後並列状金属製デッキボードとを備えてなる金属製パレットであって、端桁と上面デッキボードまたは上下面デッキボードの一方若しくは両方とが請求項１〜３のいずれか１つに記載の連結構造を有している、金属製パレット。
【請求項８】  上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなる金属製パレットであって、端桁と上面デッキボードまたは上下面デッキボードの一方若しくは両方とが請求項１〜３のいずれか１つに記載の連結構造を有し、中桁と上面デッキボードまたは上下面デッキボードの一方若しくは両方とが請求項４〜６のいずれか１つに記載の連結構造を有している、金属製パレット。
【発明の詳細な説明】
【０００１】
【発明の属する技術分野】
本発明は、金属製パレットに関する。
【０００２】
【従来の技術】
従来、上下内隅に段部が設けられた左右１対の金属製端桁と、両端桁どうしの間に配置された金属製中桁と、両端桁の段部および中桁の上下面に所定間隔おきに渡された複数の前後並列状金属製デッキボードとを備えてなり、各桁とデッキボードとがそれぞれ数カ所ずつ溶接されることにより接合されているパレットがあった。
【０００３】
【発明が解決しようとする課題】
上記パレットの場合、溶接箇所が極めて多くなるため、製造コストが高くついていた。また、溶接箇所も狭くて入り込んだ部分が多いため、自動溶接化が困難であり、製造にかなりの手間がかかっていた。
【０００４】
本発明の課題は、桁とパレットとの溶接箇所を極力少なくして、より製造が容易で安価な金属製パレットを提供することにある。
【０００５】
【課題を解決するための手段】
請求項１に係る発明は、上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、デッキボードの裏面に全長にわたってのびる少なくとも１つの内部拡大溝が形成され、隣り合うデッキボードの対向側面どうしの隙間が同側面におけるデッキボード裏面側縁部または高さ中間部においてそれ以外の部分よりも幅狭になるような横断面形状を同側面が有し、段部における各デッキボードの内部拡大溝に対応する部分に同溝に嵌めうる垂直な溝嵌入部が形成され、段部における隣り合うデッキボードどうしの隙間に対応する部分に同隙間に嵌めうる垂直な隙間嵌入部が形成されており、端桁の溝嵌入部および隙間嵌入部がそれぞれデッキボードの内部拡大溝および隣り合うデッキボードどうしの隙間に左右方向から嵌め入れられているものである。
【０００６】
請求項２に係る発明は、上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、デッキボードの裏面に全長にわたってのびる少なくとも１つの内部拡大溝が形成され、段部における各デッキボードの内部拡大溝に対応する部分に同溝に嵌めうる垂直な溝嵌入部が形成され、端桁の溝嵌入部がデッキボードの内部拡大溝に左右方向から嵌め入れられているものである。
【０００７】
請求項３に係る発明は、上内隅または上下内隅に段部が設けられた左右１対の金属製端桁と、両端桁の段部に所定間隔おきに渡された複数の前後並列状金属製デッキボードとを備えてなるパレットにおける端桁と上面デッキボードまたは上下面デッキボードの一方若しくは両方との連結構造であって、隣り合うデッキボードの対向側面どうしの隙間が同対向側面におけるデッキボード裏面側縁部または高さ中間部においてそれ以外の部分よりも幅狭になるような横断面形状を同対向側面が有し、前端デッキボードの前側面および後端デッキボードの後側面におけるデッキボード裏面側縁部または高さ中間部がそれ以外の部分よりも前後方向外側に位置するような横断面形状を同側面が有し、段部に全長にわたってのびかつ各デッキボードを嵌めうる切欠部を有する垂直壁部が形成され、垂直壁部の切欠部にデッキボードの端部が左右方向から嵌め入れられているものである。
【０００８】
請求項４に係る発明は、上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、デッキボードの裏面に全長にわたってのびる少なくとも１つの内部拡大溝が形成され、隣り合うデッキボードの対向側面どうしの隙間が同側面におけるデッキボード裏面側縁部または高さ中間部においてそれ以外の部分よりも幅狭になるような横断面形状を同側面が有し、中桁の上面または上下面における各デッキボードの内部拡大溝に対応する部分に同溝に嵌めうる垂直な溝嵌入部が形成され、中桁の上面または上下面における全ての隣り合うデッキボードどうしの隙間に対応する部分に同隙間に嵌めうる垂直な隙間嵌入部が形成されており、中桁の溝嵌入部および隙間嵌入部がそれぞれデッキボードの内部拡大溝および隣り合うデッキボードどうしの隙間に左右方向から嵌め入れられているものである。
【０００９】
請求項５に係る発明は、上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、デッキボードの裏面に全長にわたってのびる少なくとも１つの内部拡大溝が形成され、中桁の上面または上下面における各デッキボードの内部拡大溝に対応する部分に同溝に嵌めうる垂直な溝嵌入部が形成され、中桁の溝嵌入部がデッキボードの内部拡大溝に左右方向から嵌め入れられているものである。
【００１０】
また、請求項６に係る発明は、上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなるパレットにおける中桁と上面デッキボードまたは上下面デッキボードの一方若しくは両方との連結構造であって、隣り合うデッキボードの対向側面どうしの隙間が同対向側面におけるデッキボード裏面側縁部または高さ中間部においてそれ以外の部分よりも幅狭になるような横断面形状を同対向側面が有し、前端デッキボードの前側面および後端デッキボードの後側面におけるデッキボード裏面側縁部または高さ中間部がそれ以外の部分よりも前後方向外側に位置するような横断面形状を同側面が有し、中桁の上面または上下面に全長にわたってのびかつ各デッキボードを嵌めうる切欠部を有する垂直壁部が形成され、垂直壁部の切欠部にデッキボードの長さ中間部が左右方向から嵌め入れられているものである。
【００１１】
請求項７に係る発明は、上内隅または上下内隅に段部が設けられた左右１対の金属製端桁と、両端桁の段部に所定間隔おきに渡された複数の前後並列状金属製デッキボードとを備えてなる金属製パレットであって、端桁と上面デッキボードまたは上下面デッキボードの一方若しくは両方とが請求項１〜３のいずれか１つに記載の連結構造を有しているものである。
【００１２】
請求項８に係る発明は、上内隅または上下内隅に段部が設けられた左右１対の金属製端桁と、両端桁どうしの間に配置された金属製中桁と、両端桁の段部および中桁の上面または上下面に所定間隔おきに渡された複数の前後並列状金属製デッキボードとを備えてなる金属製パレットであって、端桁と上面デッキボードまたは上下面デッキボードの一方若しくは両方とが請求項１〜３のいずれか１つに記載の連結構造を有し、中桁と上面デッキボードまたは上下面デッキボードの一方若しくは両方とが請求項４〜６のいずれか１つに記載の連結構造を有しているものである。
【００１３】
【発明の実施の形態】
次に、本発明の実施形態を図面を参照して以下に説明する。
【００１４】
図１〜図８は、本発明の第１実施形態を示すものである。
【００１５】
図１〜図８に示すように、本発明を適用したパレット(1) は、上下内隅に段部(21)が設けられた左右１対のアルミニウム合金押出形材製端桁(2) と、両端桁(2) どうしの間に配置されたアルミニウム合金押出形材製中桁(3) と、両端桁(2) の上側段部(21)および中桁(3) の上面に所定間隔おきに渡された７つの前後並列状アルミニウム合金押出形材製上面デッキボード(4) と、両端桁(2) の下側段部(21)および中桁(3) の下面に所定間隔おきに渡された３つの前後並列状アルミニウム合金押出形材製下面デッキボード(5) とを備えてなる。
【００１６】
上面デッキボード(4) の裏面幅中央部に、全長にわたってのびる１つの内部拡大溝(41)が形成されている。隣り合う上面デッキボード(4) の対向側面(42)どうしの隙間が同側面(42)における上下縁部において高さ中間部よりも幅狭になるような略横向きＶ溝形の横断面形状を同側面(42)が有している。端桁(2) の上側段部(21)における各上面デッキボード(4) の内部拡大溝(41)に対応する部分に同溝に嵌めうる垂直な溝嵌入部(22)が形成され、上側段部(21)における隣り合う上面デッキボード(4) どうしの隙間に対応する部分に同隙間に嵌めうる垂直な隙間嵌入部(23)が形成されている。また、中桁(3) の上面における各上面デッキボード(4) の内部拡大溝(41)に対応する部分に同溝(41)に嵌めうる垂直な溝嵌入部(31)が形成され、同上面における隣り合う上面デッキボード(4) どうしの隙間に対応する部分に同隙間に嵌めうる垂直な隙間嵌入部(32)が形成されている。そして、端桁(2) および中桁(3) の溝嵌入部(22)(31)および隙間嵌入部(23)(32)がそれぞれ上面デッキボード(4) の内部拡大溝(41)および隣り合う上面デッキボード(4) どうしの隙間に左右方向から嵌め入れられている。
【００１７】
隣り合う下面デッキボード(5) の対向側面(51)どうしの隙間が同対向側面(51)における高さ中間部において上下縁部分よりも幅狭になるような略横向き凸Ｖ形の横断面形状を同対向側面(51)が有し、前端の下面デッキボード(5) の前側面(51)および後端の下面デッキボード(5) の後側面(51)における高さ中間部が上下縁部よりも前後方向外側に位置するような略横向き凸Ｖ形の横断面形状を同側面(51)が有している。端桁の下側段部(21)に、全長にわたってのびかつ各下面デッキボード(5) を嵌めうる切欠部(25)を有する垂直壁部(24)が形成されている。また、中桁(3) の下面に、全長にわたってのびかつ各下面デッキボード(5) を嵌めうる切欠部(34)を有する垂直壁部(33)が形成されている。そして、端桁(2) の垂直壁部(24)の切欠部(25)に下面デッキボード(5) の端部が左右方向から嵌め入れられているとともに、中桁(3) の垂直壁部(33)の切欠部(34)に下面デッキボード(5) の長さ中央部が左右方向から嵌め入れられている。
【００１８】
端桁(2) は、横断面略長方形の中空状のものであって、高さ中間部に水平隔壁(26)を有している。中桁(3) も横断面略長方形の中空状のものである。上面デッキボード(4) における内部拡大溝(41)の両外側部分は、中空状となされている。上面デッキボード(4) の上面には、全長にわたってのびる複数の滑り止め用凸条(43)が所定間隔おきに形成されている。下面デッキボード(5) は、横断面略偏平六角形の中空状のものであって、両縁寄り部分および幅中央部に垂直隔壁(52)を有している。端桁(2) の両端開口および中桁(3) の両端開口は、それぞれキャップ(6)(7)で閉鎖されている。
【００１９】
上記パレット(1) にあっては、その端桁(2) および中桁(3) と上面および下面デッキボード(4)(5)との連結に本発明の連結構造を適用しており、それだけでこれらの部材(2)(3)(4)(5)どうしの連結強度が相当程度確保できるため、従来技術と比べて溶接箇所を次のように大幅に減らすことが可能となっている。即ち、図６に示すように、各端桁(2) と上面デッキボード(4) とは、これらの上面における隣接縁部どうしのみが溶接されている。また、図７に示すように、各端桁(2) と下面デッキボード(5) とは、これらの下面における隣接縁部どうしのみが溶接されている。そして、中桁(3) と上面および下面デッキボード(4)(5)とは、全く溶接されていない。しかも、上記溶接箇所は、一直線状に並ぶため、自動溶接化することが可能である。
【００２０】
図９および図１０は、本発明の第２実施形態を示すものである。
【００２１】
この実施形態は、次の点を除いて第１実施形態と同じである。即ち、図９および図１０に示すように、本発明を適用したパレット(12)は、その中桁(30)上面に溝嵌入部および隙間嵌入部が形成されておらず、その中桁(30)下面に垂直壁部が形成されていない。したがって、このパレット(12)では、中桁(30)と上下面デッキボード(4)(5)とが、数カ所ずつ溶接されることにより接合されている。
【００２２】
図１１および図１２は、本発明の第３実施形態を示すものである。
【００２３】
この実施形態は、次の点を除いて第２実施形態と同じである。即ち、図１１および図１２に示すように、本発明を適用したパレット(13)は、下面デッキボードを全く有していないものであって、その端桁(20)が上内隅のみに段部(21)を有するものとなっている。
【００２４】
【発明の効果】
本発明のパレットにおける端桁または中桁とデッキボードとの連結構造によれば、上記のとおり、それだけで桁とデッキボードとの連結強度を相当程度確保することができる。その結果、端桁とデッキボードとの溶接箇所を従来技術よりも大幅に減らすことができ、しかも自動溶接化を図ることができるので、製造が容易で安価なパレットが得られる。
【図面の簡単な説明】
【図１】
本発明の第１実施形態を示すパレットの全体斜視図である。
【図２】
第１実施形態のパレットにおける端桁とデッキボードとの連結部分を詳しく示す斜視図である。
【図３】
第１実施形態のパレットにおける中桁とデッキボードとの連結部分を詳しく示す斜視図である。
【図４】
第１実施形態のパレットの垂直横断面図である。
【図５】
図４のV −V 線に沿う断面図である。
【図６】
図４のVI−VI線に沿う断面図である。
【図７】
図４のVII −VII 線に沿う断面図である。
【図８】
図４のVIII−VIII線に沿う断面図である。
【図９】
本発明の第２実施形態を示すパレットの全体斜視図である。
【図１０】
第２実施形態のパレットの垂直横断面図である。
【図１１】
本発明の第３実施形態を示すパレットの全体斜視図である。
【図１２】
第３実施形態のパレットの垂直横断面図である。
【符号の説明】
1)      パレット
12)     パレット
13)     パレット
2)      端桁
21)     段部
22)     溝嵌入部
23)     隙間嵌入部
24)     垂直壁部
25)     切欠部
3)      中桁
31)     溝嵌入部
32)     隙間嵌入部
33)     垂直壁部
34)     切欠部
4)      上面デッキボード
41)     内部拡大溝
42)     対向側面
5)      下面デッキボード
51)     対向側面
51)     後側面
51)     前側面